(57)【要約】【課題】容器本体と蓋体の開閉と切り離しを容易に行うことができる納豆容器の提供を図る。【解決手段】容器本体と蓋体とで構成され、該容器本体は充填部の上端周縁に鍔状に延設されるフランジ部を形成し、該フランジ部のフロントフランジ部には分割スリットによって分割される分割フランジ部を形成すると共に、リアフランジ部には上下方向に開閉するヒンジ部を形成して成り、蓋体は、容器本体の充填部ならびにフランジ部全体の上面を覆う方形の大きさに形成されると共に、リアフランジ部に折断可能な切り離しスリットを形成して成り、容器本体の分割フランジ部と蓋体のフロントフランジ部の両コーナー部をスポット溶着することによって、容器本体と蓋体を溶着固定して封止し、容器本体の分割スリットを折断することによって、容器本体と蓋体の開閉を容易なものとし、蓋体の切り離しスリットを折断することによって、容器本体と蓋体の切り離しを容易にする。【選択図】図１
2014040268.tif 000002
【特許請求の範囲】
【請求項１】
納豆が充填される充填部を備える容器本体と、該容器本体にヒンジ部を介して開閉可能に連設される蓋体と、で構成される納豆容器において、
前記容器本体は、充填部の上端周縁に鍔状に延設されるフランジ部を形成し、該フランジ部のフロントフランジ部には分割スリットによって分割される分割フランジ部を形成すると共に、リアフランジ部には上下方向に開閉するヒンジ部を形成して成り、
前記蓋体は、前記容器本体の充填部ならびにフランジ部全体の上面を覆う方形の大きさに形成されると共に、リアフランジ部に折断可能な切り離しスリットを形成して成り、
前記容器本体の分割フランジ部と前記蓋体のフロントフランジ部の両コーナー部をスポット溶着することによって、前記容器本体と前記蓋体を溶着固定して封止し、
前記容器本体の分割スリットを折断することによって、前記容器本体と前記蓋体の開閉を容易なものとし、
前記蓋体の切り離しスリットを折断することによって、前記容器本体と前記蓋体の切り離しを容易にすることを特徴とする納豆容器。
【発明の詳細な説明】
【技術分野】
【０００１】
本発明は、容器本体の分割スリットと蓋体の切り離しスリットを折断（へし折って分断)することによって、容器本体と蓋体の開閉と切り離しを容易に行うことができる納豆容器に関する。
【背景技術】
【０００２】
現在、納豆の収納容器として使われている発泡ポリスチレン樹脂（ＰＳ）製の納豆容器は、軽量且つ安価である上、製造工程における生産の容易性と流通・販売過程における機能性と効率性が高いことから、１９６０年代以降の納豆の消費拡大傾向に大きく貢献したとも言われ、今なお納豆容器を構成する容器本体ならびに蓋体においては、新たな改良が加えられている。
【０００３】
例えば、容器本体においては、底に凹凸溝を設けて納豆を掻き混ぜる際に糸を引くような構造としたり、からしやタレの収納部を設けたり、表面を樹脂膜でシールドするなどの提案がなされ、蓋体においては、納豆の発酵を促すための通気孔を設けたり、剛性や重ね易い形状を得るための補強リブを設けたり、食べ易いように分割ができるミシン目を入れたり、からし袋やタレ袋を分離する役目を果たしたりする種々の提案がなされている。
【０００４】
しかしながら、現在使われている納豆容器の多くは、容器本体と蓋体とがスポット溶着によって止着されているため、容器本体から蓋体を開閉する際に開封しづらいという問題や、使用済みの乾燥防止用フィルムならびに、からし袋やタレ袋の廃棄処分の方法に困るといった問題などが指摘されるものであった。
【０００５】
従来より、上記の問題点を解決しようとする種々の提案がなされている。例えば、納豆を食するときに、薄肉状に形成されたヒンジ部の薄肉切断部に形成されたミシン目に沿って収納部本体と共蓋とを切断して分離させることで、調味料等の混入作業や納豆の撹拌作業を簡便に行なうことができると共に、容器使用後に食卓に置いても、容器が傾いたりして中の調味液等がこぼれる心配がなく使い勝手に優れていることを特徴とする「納豆容器」（特許文献１参照）が提案されている。
【０００６】
しかしながら、かかる「納豆容器」の提案は、収納部本体を略凹状に形成すると共に、該収納部本体の一側からヒンジ部を介して共蓋を形成し、該収納部本体と共蓋とは、原反配向性が（＋）の性状を有する発泡ポリスチレン樹脂で一体形成すると共に、上記ヒンジ部を、薄肉切断部と、該薄肉切断部に沿って形成されたミシン目と、で構成し、かつ、該薄肉切断部の切断を開始する一方側端部或は両端部には切込部を形成して構成されているものであるが、使用時に収納部本体と共蓋とをミシン目で切断して容易に分離させることができるものの、使用前の収納部本体と共蓋とがスポット溶着によって溶着固定されている状態を開放するための手段が講じられていないため、本体部と蓋の間に指を入れて本体部と蓋を分離するための細かな手作業を必要とするものであり、またミシン目の両端に設けられる切込部からミシン目を切断する際には、本体部と蓋を両手で持って引き裂く必要があることから、本体部に充填される納豆がこぼれ落ちる可能性があるものであった。
【０００７】
また、健常者だけではなく身障者など手の不自由な人にとっても、簡単、容易に蓋を開けることができるようにする「納豆容器」（特許文献２参照）が提案されている。
【０００８】
しかしながら、かかる「納豆容器」の提案は、納豆を収納する凹孔状の本体部と、この本体部の開口上面を閉塞する蓋とを、ヒンジ部を介して一体状に接続すると共に、本体部と蓋とを、周辺にフランジを有して形成し、また、ヒンジ部に、左右方向の両側の端部を残して切れ目を左右方向に延びて形成すると共に、このヒンジ部の両側の端部の近傍で且つ本体部と蓋のフランジの位置に、切れ目の端より内方の位置まで延びて本体部と蓋のフランジを閉蓋時に上下方向に貫通する切り欠きを形成するものであるが、切れ目の端より切り離される両側の端部が本体部から切り離されることによって、小片のゴミとなって廃棄処理するための手間隙を要するものであると共に、切り離された後に本体部と蓋の間に指を入れて本体部と蓋を分離するための細かな手作業を必要とするものであって、健常者であれば然程問題はないが、身障者など手の不自由な人にとっては本体部と蓋を容易に開放することができないものであった。
【０００９】
また、被包装物の包装に際する蓋部分の不測の破断分離を防止してなお、不要となった蓋部分の作為的な切り離しを容易にならしめ、併せて、切りくずの発生を防止した「包装用容器および包装体」（特許文献３参照）が提案されている。
【００１０】
しかしながら、かかる「包装用容器」の提案は、本体部分と蓋部分との周辺フランジの四隅に斜め溝が設けられることによって、蓋部分の開口を容易にする構造を有する包装用容器であるが、斜め溝が設けられる位置が本体部分と蓋部分を溶着固定するエリアを含んでいないため、単に本体部分と蓋部分を二分する構造に過ぎないことから、本体部と蓋の間に指を入れて本体部と蓋を分離するために細かな手作業を必要とするものであった。
【００１１】
また、基材内面側に剥離可能なフィルムが積層された剥離フィルム付き容器において、充填部と蓋部との接合部の開封を容易に行うことができる「食品容器及び包装食品」（特許文献４参照）が提案されている。
【００１２】
しかしながら、かかる「食品容器及び包装食品」の提案は、食品又は食品原料を充填する充填部と、この充填部にヒンジ部を介して連設された蓋部とからなる容器基材と、該容器基材の前記充填部の内面側とそれに連なる前記蓋部の面側とに剥離可能に積層された剥離フィルム層とを備えた食品容器において、前記充填部の開口周縁に設けられたフランジ部の前記ヒンジ部に対向する側の一部に形成される接合部を含む領域を、他部から切り離し可能な開封用切取りラインが設けられているものであるが、該提案は容器と蓋部の内面側に剥離フィルム層を設けることで容器の洗浄を省略することを目的に構成されていると共に、充填部のフランジ部の切り取り部は、容器と蓋部のスポット溶着による融着を回避するために開封用切り取りラインによってスポット溶着した状態で他部から一部（切り取り部）を切り離すことを目的に設けられているものである。従がって、フィルム剥離用切り取りラインが充填部のフランジ部のコーナー部の何れか一方に設けられることが必須となることから、必然的に開封用切り取りラインは充填部のフランジ部の両コーナー部を避けた一部領域に設けなければならず、結果的に図１（ａ）に示すような両コーナー部が含まれない開封用切り取りラインの三辺で形成される切り取り部が設けられることになり、切り取る力の入れ具合によっては一度で切り取ることができない場合が発生するもので、その場合、掴み直して切り取らなければならないなど面倒な不具合が発生するものであった。さらにスポット溶着部に関しても、フィルム剥離用切り取りラインの位置関係から理想的な容器本体と蓋体のフランジ部の両コーナー部に設けることができないため、両コーナー部が捲り上がって隙間が発生することで納豆上面の乾燥を進行させてしまうという問題があった。
【００１３】
それに対して本発明の納豆容器における分割フランジ部は、容器本体のフランジ部と蓋体とを止着するスポット溶着の融着によって開封しづらい状態を回避できることを目的として設けられるもので、容器本体のヒンジ部と対向するフランジ部の一部（以下フロントフランジ部と言う）に限定されることなく両コーナー部を含むフランジ部の全領域において一辺の直線状の分割スリットによって設けられ、さらにスポット溶着部も理想的な容器本体のフロントフランジ部の両コーナー部に設けることができるもので、本発明の納豆容器と食品容器及び包装容器（特許文献４）はその目的と構造を大きく異にするものである。
【００１４】
本出願人は、以上のような従来の納豆容器の係る問題点を解決するために、スポット溶着部の溶着構造と容器本体と蓋体の切り離し構造に着目し、容器本体から蓋体を上方に開閉する際に容器本体と蓋体とを止着するスポット溶着部によって開封しづらいという問題と、使用済みのからし袋やタレ袋の廃棄処分の方法に困るという問題を、簡単な構造や手段で改善することができないものかとの着想の下、容器本体の分割スリットと蓋体の切り離しスリットを折断することによって、容器本体と蓋体の開閉と切り離しを容易に行うことができる納豆容器を開発し、本発明の「納豆容器」の提案に至るものである。
【先行技術文献】
【特許文献】
【００１５】
【特許文献１】特開平１０-３０５８８６号公報
【特許文献２】実用新案登録第３１０６７６２号公報
【特許文献３】実用新案登録第３０４９３９３号公報
【特許文献４】特開２００５-１５３９８１号公報
【発明の概要】
【発明が解決しようとする課題】
【００１６】
本発明は上記問題点に鑑み、容器本体の分割スリットと蓋体の切り離しスリットを折断（へし折って分断)することによって、容器本体と蓋体の開閉と切り離しを容易に行うことができる納豆容器の提供を図ること課題とする。
【課題を解決するための手段】
【００１７】
本発明の納豆容器は上記課題を解決するためになされるもので、納豆が充填される充填部を備える容器本体と、該容器本体にヒンジ部を介して開閉可能に連設される蓋体と、で構成される納豆容器において、前記容器本体は、充填部の上端周縁に鍔状に延設されるフランジ部を形成し、該フランジ部のフロントフランジ部には分割スリットによって分割される分割フランジ部を形成すると共に、リアフランジ部には上下方向に開閉するヒンジ部を形成して成り、前記蓋体は、前記容器本体の充填部ならびにフランジ部全体の上面を覆う方形の大きさに形成されると共に、リアフランジ部に折断可能な切り離しスリットを形成して成り、前記容器本体の分割フランジ部と前記蓋体のフロントフランジ部の両コーナー部をスポット溶着することによって、前記容器本体と前記蓋体を溶着固定して封止し、前記容器本体の分割スリットを折断することによって、前記容器本体と前記蓋体の開閉を容易なものとし、前記蓋体の切り離しスリットを折断することによって、前記容器本体と前記蓋体の切り離しを容易にする手段を採る。
【発明の効果】
【００１８】
本発明の納豆容器によれば、容器本体の分割フランジ部と蓋体のフロントフランジ部の両コーナー部をスポット溶着し、容器本体の分割スリットを折断することによって、容器本体から蓋体をワンタッチで開閉することができるといった優れた効果を奏する。
【００１９】
本発明の納豆容器によれば、加工が簡単な直線状に形成される分割スリットにより、スポット溶着エリア及び両コーナー部を含んで分割フランジ部が分割されるため、最小限の折断力で分割できると共に、該分割された分割フランジ部がそのまま蓋体に溶着固定されているため、無駄がない最小限の数で廃棄処分することができるという優れた効果を奏する。
【００２０】
本発明の納豆容器によれば、スポット溶着部が、フロントフランジ部の両コーナー部に設けられていることによって、納豆容器と蓋体が確実に溶着固定されて封止されると共に、蓋体のコーナー部が流通段階においても捲り上ったりしないという優れた効果を奏する。
【００２１】
また本発明の納豆容器によれば、容器本体とヒンジ部で連結される蓋体のリアフランジ部に形成される切り離しスリットを折断することによって、老人や子供でもできる最小限の折断力で容器本体と蓋体をワンタッチで切り離しすることができるといった優れた効果を奏する。
【００２２】
また本発明の納豆容器によれば、分割スリットならびに切り離しスリットの両端にスリット状の開口部が設けられていることから、分割スリットならびに切り離しスリットのどの位置からも最小限の折断力で簡単に分離ならびに切り離しすることができるという優れた効果を奏する。
【図面の簡単な説明】
【００２３】
【図１】本発明における納豆容器の全体を示す説明図である。（実施例１）
【図２】本発明における納豆容器の開封状態を示す説明図である。
【発明を実施するための形態】
【００２４】
本発明の納豆容器は、容器本体の分割フランジ部と蓋体のフロントフランジ部の両コーナー部をスポット溶着し、容器本体の分割フランジ部の分割スリットを折断することによって、容器本体と蓋体をワンタッチで開閉すると共に、容器本体とヒンジ部で連結される蓋体のリアフランジ部に形成される切り離しスリットを折断することによって、容器本体と蓋体をワンタッチで切り離しする手段を採ったことを最大の特徴とする。以下、本発明の実施形態を、図面に基づいて説明する。
【００２５】
なお、本発明の納豆容器の寸法ならび形状は、下記に述べる実施例に特に限定されるものでなく、本発明の技術的思想に逸脱しない範囲で任意に変更することができる。また、図示されている納豆容器は、凹凸溝、補強リブ、通気孔等の本発明の実施要件に属さない機能ならびに形状については図示を省略している。
【実施例１】
【００２６】
図１は、本発明における納豆容器の全体を示す説明図である。
本発明の納豆容器１は、例えば発泡ポリスチレン（ＰＳ）等の熱可塑性発泡樹脂体を素材として形成され、納豆Ｎが充填される充填部１１を備える容器本体１０と、該容器本体１０にヒンジ部１２を介して開閉可能に連設される蓋体２０と、で構成される。
【００２７】
容器本体１０は、納豆菌が散布された納豆Ｎを収納すると共に、熟成ならびに冷却を行う方形状の収納領域を形成する充填部１１と、該充填部１１の上端周縁に鍔状に延設されるフランジ部１３とを形成して構成される。
【００２８】
ヒンジ部１２は、容器本体１０から蓋体２０を上下方向に開閉するもので、容器本体１０のリアフランジ部１３ｂと蓋体２０のリアフランジ部２１ｂに連接して、蓋体２０を上下方向に回動させて開閉するものである。
【００２９】
フランジ部１３は、容器本体１０の収納領域を形成する充填部１１の上端周縁に鍔状に設けられるものである。また、フランジ部１３におけるヒンジ部１２に対向する側をフロントフランジ部１３ａとして、該フロントフランジ部１３ａには分割スリット１５によって分割される分割フランジ部１４が設けられている。
【００３０】
分割フランジ部１４は、従来の容器本体１０のフランジ部１３と蓋体２０とを止着するスポット溶着部１７の融着によって開封しづらい状態を回避することを目的として設けられるもので、コーナー部１６，２４に蓋体２０がスポット溶着されるためのスポット溶着部１７を形成し、一辺の直線状の分割スリット１５を折断することによって分割される。
【００３１】
分割スリット１５は、容器本体１０のフロントフランジ部１３aと分割フランジ部１４の中間位置に設けられて、分割フランジ部１４と蓋体２０とがスポット溶着部１７においてスポット溶着している状態で、該分割フランジ部１４を容器本体１０から分割させるために設けられる。
【００３２】
コーナー部１６，２４は、容器本体１０の分割フランジ部１４と蓋体２０のフロントフランジ部２１ａの両端に位置する箇所で、蓋体２０が捲り上がることなく安定してスポット溶着される箇所でもある。従来の納豆容器の多くは、蓋体２０を容器本体１０から分離する際に、このコーナー部１６，２４に指をかけて容器本体１０と蓋体２０を分離する必要があることから、この部分にスポット溶着部１７，２３が設けられることはなかった。
【００３３】
蓋体２０は、容器本体１０のリアフランジ部１３ｂの一辺にヒンジ部１２を介して開閉する構造で設けられ、納豆Ｎが充填される容器本体１０の充填部１１とフランジ部１３全体を覆う方形の大きさに形成される。
【００３４】
切り離しスリット２２は、切断されている箇所と連結されている箇所が交互に連続して形成され、該切断されているスリット部を長くとることによって僅かな力で折断しやすくしているもので、食する際に容器本体１０と蓋体２０とを切り離すことによって食べ易くするために設けられるものである。また、切り離しスリット２２の両端にはスリット状の開口部２２ａが設けられているため、僅かな力で切り離しスリット２２を折断することができる。
【００３５】
乾燥防止用フィルム３０は、ポリエチレン樹脂（ＰＥ）等の薄膜状のフィルムを素材として形成され、容器本体１０の充填部１１に充填される納豆Ｎの上面を被覆すると共に、フランジ部１３全体の上面を覆って納豆表面の乾燥を防止する役割と、からし袋Ｋとタレ袋Ｔを納豆表面から分離する役割をもって設けられる。
【００３６】
図２は、本発明における納豆容器の開封状態を示す説明図である。
（１）容器本体１０と蓋体２０の開閉端部１８，２５を摘み、分割スリット１５を下方から上方に向けて折断して蓋体２０を上方に持ち上げる。
・容器本体１０と蓋体２０の両フランジ部をこじ開けなくて済む構造を有していることから、容器本体１０と蓋体２０をワンタッチで開閉することができる。
（２）蓋体２０のフロントフランジ部２１ａに容器本体１０の分割フランジ部１４が溶着固定された状態で、蓋体２０が開放される。
・加工が簡単な直線状に形成される分割スリット１５により、スポット溶着エリア及び両コーナー部１６を含んで分割フランジ部１４が分割されるため、最小限の折断力で分割できる。
（３）容器本体１０と蓋体２０とを切り離しスリット２２によって切り離し、乾燥防止用フィルム３０とからし袋Ｋとタレ袋Ｔを容器本体１０から取り出す。
・容器本体１０と蓋体２０が切り離して使用することができるため、食事時において納豆Ｎの糸引きを防止できると共に、使用済みの乾燥防止用フィルム３０とからし袋Ｋとタレ袋Ｔを別の場所に置くことができる。
（４）切り離された蓋体２０の上に使用済みの乾燥防止用フィルム３０とからし袋Ｋとタレ袋Ｔを載せて、廃棄処分する。
・切り離された分割フランジ部１４がそのまま蓋体２０に溶着固定されているため、無駄がない最小限の数で廃棄処分することができる。
【００３７】
以上のように本発明における納豆容器１の開封作業は、従来の納豆容器の開封作業と比較して、容器本体１０から蓋体２０を単純に上方に開いて分割スリットを折断することによって容器本体１０と蓋体２０の開閉を容易にすると共に、切り離しスリット２２を切り離すことによって容器本体１０と蓋体２０とを容易に切り離すことができる。
【産業上の利用可能性】
【００３８】
本発明の納豆容器は、納豆容器以外の粘性や臭気の強い食品包装容器としてや、別添の調味料を内包する食材容器として幅広く利用できることから、本発明における納豆容器の産業上の利用可能性は大であると解する。
【符号の説明】
【００３９】
１    納豆容器
１０    容器本体
１１    充填部
１２    ヒンジ部
１３    フランジ部
１３ａ  フロントフランジ部
１３ｂ  リアフランジ部
１４    分割フランジ部
１５    分割スリット
１５ａ  開口部
１６    コーナー部
１７    スポット溶着部
１８    開閉端部
２０    蓋体
２１    フランジ部
２１ａ  フロントフランジ部
２１ｂ  リアフランジ部
２２    切り離しスリット
２２ａ  開口部
２３    スポット溶着部
２４    コーナー部
２５    開閉端部
３０    乾燥防止用フィルム
Ｎ    納豆
Ｋ    からし袋
Ｔ    タレ袋
【図１】
2014040268.tif 000003
【図２】
2014040268.tif 000004